(57)【要約】【課題】  雪止め板を採用する屋根用雪止め金具において、雪止め板に装飾を施す。【解決手段】  屋根に装着する屋根装着部（挟持板部６１ａ，６１ｂと挾圧ボルト・ナット４７，６３）と雪止め板７の取付部（６４ａ，６４ｂ）とを備えた装着部材６と、前記取付部に固着する雪止め板とで構成され、取付部に雪止め板を鋲体で固着するに際して、頭部を適宜大きさの装飾部とした装飾鋲体３を使用すると共に、前記装飾頭部３１を雪止め板前面に配置して鋲着してなる。【選択図】図４
0003114589.tif 000002
【実用新案登録請求の範囲】
【請求項１】
屋根に装着する屋根装着部と雪止め板の取付部とを備えた装着部材と、前記取付部に固着する雪止め板とで構成され、取付部に雪止め板を鋲体で固着するに際して、頭部を適宜大きさの装飾部とした鋲体を使用すると共に、前記装飾部を雪止め板前面に配置して鋲着してなることを特徴とする屋根用雪止め金具。
【請求項２】
雪止め板が富士山形状で、装飾部の模様が桜である請求項１記載の屋根用雪止め金具。
【請求項３】
屋根に装着する屋根装着部と雪止め板の取付部とを備えた装着部材と、前記取付部に固着する雪止め板とで構成され、取付部に雪止め板を鋲体で固着するに際して、適宜大きさの装飾体を座金とし、雪止め板前面に配置して鋲着してなることを特徴とする屋根用雪止め金具。
【請求項４】
雪止め板が富士山形状で、装飾体の模様が桜である請求項３記載の屋根用雪止め金具。
【考案の詳細な説明】
【技術分野】
【０００１】
本考案は、屋根用雪止め金具に関するものである。
【背景技術】
【０００２】
屋根用雪止め金具は、種々の構造のものが従前より使用されており、その基本的な構造は、屋根に装着される屋根装着部と、屋根装着部に付設される雪止め部とで構成されている。
【０００３】
屋根装着部は、屋根の所定部分（馳部分）を挟持して金具を屋根上に固定する挟持部で構成されるもの、瓦の隙間や屋根葺板の隙間から屋根板に直接釘着固定する釘着部で構成するものなどが知られている。
【０００４】
また雪止め部は、屋根装着部にアングル装着部を設け、当該アングル装着部に雪止めアングルを装着するアングル形式と、前記屋根装着部に取付部を設け、当該取付部に雪止め板を固定する雪止め板形式が知られている。
【０００５】
ところで雪止め板形式を採用している雪止め金具において、屋根上に装着され、金具前面に配置して下方から視認される雪止め板に装飾を施すことが従前より提案されている。例えば実開昭６３−１１６６２９号公報（特許文献１）には、雪止め板に抜き模様（チューリップ）を形成することが開示されており、実開平４−１４６１９号公報（特許文献２）には、雪止め板にプレス模様（シ−サー模様）を形成することが開示されている。
【０００６】
【特許文献１】実開昭６３−１１６６２９号公報。
【特許文献２】実開平４−１４６１９号公報。
【考案の開示】
【考案が解決しようとする課題】
【０００７】
屋根用雪止め金具において、雪止め板に装飾を施す手段として、前記したとおり、型抜き模様や、プレス模様が知られているが、当該模様形成に際しては、雪止め板自体の加工が必要であり、当該加工に際しての製造型が必要となる。すなわち種々の形状の雪止め板毎に模様のための製造型を必要とする。勿論相違する模様毎の製造型を必要とする。
【０００８】
従って従前手段による雪止め板への模様付与は、単一対応であるために多種形状の金具や異なる模様を選択するような場合には、製造コストが高くなってしまう。
【０００９】
そこで本考案は、汎用性を有する模様付与手段で模様を付する新規な屋根用雪止め金具を提案したものである。
【課題を解決するための手段】
【００１０】
本考案に係る屋根用雪止め金具は、屋根に装着する屋根装着部と雪止め板の取付部とを備えた装着部材と、前記取付部に固着する雪止め板とで構成され、取付部に雪止め板を鋲体で固着するに際して、頭部を適宜大きさの装飾部とした鋲体（装飾鋲体）を使用すると共に、前記装飾部を雪止め板前面に配置して鋲着したり、又は適宜大きさの装飾体を座金（装飾座金）とし、雪止め板前面に配置して鋲着してなることを特徴とするものである。
【００１１】
而して頭部を装飾部として鋲体や、装飾体である座金を使用して、取付部に雪止め板を鋲着すると、雪止め板の固定と同時に雪止め板に装飾を施すことになる。
【考案の効果】
【００１２】
本考案の構成は上記の通りであるから、既存の金具の製造における雪止め板の固定工程で、所定の装飾鋲体又は装飾座金を使用することで、多種の形状の雪止め板に容易に装飾を施すことができたものである。また特に装飾鋲体又は装飾座金を複数用意することで、多種形状の雪止め板と多種模様の装飾鋲体又は装飾座金とを組み合わせることで、多品種多模様の雪止め金具を得ることができる。
【考案を実施するための最良の形態】
【００１３】
次に本考案の実施形態について説明する。実施形態に示した雪止め金具に使用する装飾物は、図１（イ）に示した鋲体１と装飾体（屋根に設置した場合に充分視認される程度の大きさを備えるもの）となるに充分な大きさの装飾座金２の組み合わせ、又は頭部３１を装飾体とした装飾鋲体３であり、いずれかを選択採用できるものである。
【００１４】
また鋲体１は一般に部材の連結に使用される鋲体であり、部材の支持部となる頭部１１と鋲軸１２で構成され、鋲軸１２は、カシメ加工による部材連結構造とする場合にはカシメ加工可能な材質で形成したものであり、ナットとの螺合締結で部材連結を行う場合には、鋲軸１２を螺軸に形成してなるものである。
【００１５】
また装飾鋲体３においても同様で、装飾頭部３１が適宜な大きさの装飾体であり、軸部３２もカシメ加工対応やナット対応に応じて形成したものである。
【００１６】
＜第一実施形態＞  図２，３は本考案の第一実施形態であり、装着部材４と雪止め板５とで構成されている。
【００１７】
装着部材４は、取付部を有する屋根装着部で、具体的には下方挾持板部４１の前方部分を折曲して立ち上げて、立ち上げ板部（取付部）４２を形成し、立ち上げ板部４２の上方から背後斜め下方に折り返して背面板部４３を形成し、下方挾持板部４１上に近接した背面板部４３の下方から後方斜め上方に折り返して上方挾持板部４４を形成し、下方挾持板部４１と上方挾持板部４４の後端に屋根板挾持部４５を設けると共に、下方挾持板部４１と上方挾持板部４４間に、両板部間を近接させる挾圧ボルト４６及びボルトに螺合するナット４７を介設してなる。また立ち上げ板部４２には雪止め板装着用の透孔４８を穿設してなる。
【００１８】
雪止め板５は、全体が所謂富士山型であり、雪止め板部５１の両側下方を前方に折曲して足板５２としているもので、中央に連結用透孔５３を設けてなる。
【００１９】
装着部材４への雪止め板５の固着は、鋲体１と装飾座金２を採用したもので、鋲体１を取付部（立ち上げ板部）４２の背面から前方に差し入れ、雪止め板５の連結用透孔５３を貫通させ、装飾座金２を装着し、突出した鋲軸１２の先端をカシメ加工してなる。従って雪止め板５の固着と同時に装飾が施されることになるものである。
【００２０】
而して前記金具は、下方挾持板部４１を横葺屋根の折り返し部分の下方に差し入れ、挾圧ボルト４６に螺合したナット４７を緊締すると、上下挾持板部４１，４４で屋根板を挾持して屋根上に取付られ、雪止めの作用をなすものである。
【００２１】
また特に富士山型の形状と桜形状の装飾は、良好な組み合わせである。尚鋲体１は、取付部の背面側から装着しているが、特に本実施形態においては、装着部材４の構造上、背面側からの装着が適当であったため採用したものであり、他の構造の場合には前面側から装着するようにしても良い。
【００２２】
＜第二実施形態＞  図４，５は本考案の第二実施形態であり、装着部材６と雪止め板７とで構成されている。
【００２３】
装着部材６は、取付部を有する屋根装着部で、下方部分を噛合い形状に形成した対面する挟持板部６１ａ，６１ｂに、両板部間を貫通する挾圧ボルト６２及びボルト６２に螺合するナット６３を装着し、前記挟持板部６１ａ，６１ｂの前方部分を左右に折曲して取付板部（取付部）６４ａ，６４ｂを連設し、取付板部６４ａ，６４ｂに透孔６５ａ，６５ｂを穿設したものである。
【００２４】
雪止め板７は、全体が所謂富士山型であり、雪止め板部７１の両側下方を前方に折曲して足板７２としているもので、透孔６５ａ，６５ｂと対応する箇所に連結用透孔７３を設けてなる。
【００２５】
装着部材６への雪止め板７の固着は、装飾鋲体３を採用したもので、装飾鋲体３の軸部３２を、透孔６５ａ，６５ｂと連結用透孔７３とを貫通させて取付板部６４ａ，６４ｂの背面側でカシメ加工によってなし、これによって雪止め板７の固着と同時に装飾が施されることになるものである。
【００２６】
而して前記金具は、左右の挾持板部６１ａ，６１ｂで縦葺屋根の巻きハゼ部分を挟み、ボルト６２に螺合したナット６３を緊締すると、屋根板に固定され、所定の雪止めの作用をなすものである。
【００２７】
尚本考案は、前記の第一、二実施形態に限定されるものではなく、例えば図６に示す金具（第三実施形態）のように、屋根釘着板８の前面に雪止め板９を装着する際に、前記の鋲体と装飾座金の組み合わせや、装飾鋲体を採用すると、雪止め板の固定と同時に装飾が施されるように、本考案は、雪止め板を種々の構造の屋根装着部材に連結固定する金具の全てに適用されるものである。
【図面の簡単な説明】
【００２８】
【図１】本考案の実施形態に使用される鋲体等の斜視図。
【図２】同第一実施形態の雪止め板固着前の斜視図。
【図３】同雪止め板固着後の斜視図。
【図４】同第二実施形態の雪止め板固着前の斜視図。
【図５】同雪止め板固着後の斜視図。
【図６】同第三実施形態の雪止め板固着後の斜視図。
【符号の説明】
【００２９】
１          鋲体
１１        頭部
１２        鋲軸
２          装飾座金
３          装飾鋲体
３１        装飾頭部
３２        軸部
４，６      装着部材
４１        下方挾持板部
４２        立ち上げ板部（取付部）
４３        背面板部
４４        上方挾持板部
４５        屋根板挾持部
４６，６２      挾圧ボルト
４７，６３      ナット
４８，６５ａ，６５ｂ      透孔
６１ａ，６１ｂ    挟持板部
６４ａ，６４ｂ    取付板部（取付部）
５，７，９        雪止め板
５１，７１      雪止め板部
５２，７２      足板
５３，７３      連結用透孔
８          屋根釘着板
【図１】
0003114589.tif 000003
【図２】
0003114589.tif 000004
【図３】
0003114589.tif 000005
【図４】
0003114589.tif 000006
【図５】
0003114589.tif 000007
【図６】
0003114589.tif 000008